【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
液体を吐出する吐出口が設けられた吐出口面と、前記吐出口から液体を吐出するエネルギーを生成する記録素子と、記録素子と対向する位置に設けられた圧力室と、を有し、前記圧力室を通って前記吐出口から液体が吐出される記録ヘッドと、
前記吐出口から液体を吐出していない時間に関する情報を取得する取得手段と、
第１の流路から前記圧力室を通って第２の流路に液体が流れるように、前記圧力室の外から中へ、前記圧力室の中から外へと前記液体を循環させる循環手段と
を有する記録装置であって、
前記取得手段が取得した情報が示す時間が所定時間を超えた場合、前記循環手段は前記第１の流路から前記圧力室を通って前記第２の流路へと前記液体を循環させることを特徴とする記録装置。
【請求項２】
前記記録装置の設置環境における温度または湿度の少なくとも一方に基づき、前記循環手段による前の循環動作と次の循環動作の間隔を前記所定時間として導出する間隔導出手段を更に有することを特徴とする請求項１に記載の記録装置。
【請求項３】
前記液体の蒸発率をカウントするカウント手段を更に有し、
前記カウント手段によりカウントされた前記蒸発率に基づき、前記間隔導出手段は、前記間隔を導出することを特徴とする請求項２に記載の記録装置。
【請求項４】
前記カウント手段は、前記温度と前記湿度とに対応する蒸発速度係数を導出し、該導出した蒸発速度係数と前記吐出口面がキャッピングされていない時間とを乗じることで、前記蒸発率をカウントすることを特徴とする請求項３に記載の記録装置。
【請求項５】
前記蒸発率が所定の閾値以上の場合、キャップ吸引、又は、予備吐出が実行されることを特徴とする請求項３又は４に記載の記録装置。
【請求項６】
前記吐出口面がキャッピングされている時間に基づき、前記蒸発率を更新する更新手段を更に有することを特徴とする請求項３乃至５の何れか１項に記載の記録装置。
【請求項７】
前記更新手段により更新された前記蒸発率に基づき、前記間隔導出手段は、前記間隔を再び導出することを特徴とする請求項６に記載の記録装置。
【請求項８】
前記吐出口面がキャッピングされている間に前記循環手段によって循環された回数に基づき、前記蒸発率を更新する更新手段を更に有することを特徴とする請求項６に記載の記録装置。
【請求項９】
前記間隔導出手段は、前記液体の濃度情報に基づき、前記間隔を導出することを特徴とする請求項２乃至８の何れか１項に記載の記録装置。
【請求項１０】
前記記録装置の設置環境における温度、又は、前記記録ヘッドの温度に基づき、前記循環手段が循環を実施する時間を導出する導出手段を更に有することを特徴とする請求項１乃至９の何れか１項に記載の記録装置。
【請求項１１】
前記記録ヘッドの温度を調節するヘッド温調機構と、
前記ヘッド温調機構の設定温度に基づき、前記循環手段が循環を実施する時間を導出する導出手段を更に有することを特徴とする請求項１乃至１０の何れか１項に記載の記録装置。
【請求項１２】
前記吐出口面をキャッピングするキャップ機構をさらに有し、
前記取得手段は、前記キャップ機構によって前記吐出口面をキャッピングしている時間を示す情報を取得し、
前記取得手段が取得した情報が示す時間が前記所定時間を超えた場合、前記循環手段は前記第１の流路から前記圧力室を通って前記第２の流路へと前記液体を循環させることを特徴とする請求項１乃至１１の何れか１項に記載の記録装置。
【請求項１３】
前記液体を貯留するタンクと、
前記タンクから前記記録ヘッドへ前記液体を供給する供給流路と、
前記記録ヘッドから前記タンクへ前記液体を回収する回収流路と、
をさらに有し、
前記循環手段は、前記タンクから、前記供給流路、前記第１の流路を通り前記圧力室、前記第２の流路、前記回収流路を通り前記タンクへと前記液体を循環させることを特徴とする請求項１乃至１２の何れか１項に記載の記録装置。
【請求項１４】
液体を貯留するタンクと、
液体を吐出する吐出口が設けられた吐出口面を有する記録ヘッドと、
前記吐出口から液体を吐出していない時間に関する情報を取得する取得手段と、
前記タンクから前記記録ヘッドへ前記液体を供給する供給流路と、
前記記録ヘッドから前記タンクへ前記液体を回収する回収流路と、
前記タンクから前記供給流路を通って前記記録ヘッドへ、前記記録ヘッドから前記回収流路を通って前記タンクへと前記液体を循環させる循環手段と
を有する記録装置であって、
前記取得手段が取得した情報が示す時間が所定時間を超えた場合、前記循環手段は前記タンクから、前記供給流路、前記記録ヘッドを通って前記回収流路へと前記液体を循環させることを特徴とする記録装置。
【請求項１５】
前記吐出口面をキャッピングするキャップ機構をさらに有し、
前記取得手段は、前記キャップ機構によって前記吐出口面をキャッピングしている時間を示す情報を取得し、
前記取得手段が取得した情報が示す時間が前記所定時間を超えた場合、前記循環手段は前記供給流路から前記記録ヘッドを通って前記回収流路へと前記液体を循環させることを特徴とする請求項１４に記載の記録装置。
【請求項１６】
前記記録装置の設置環境における温度または湿度の少なくとも一方に基づき、前記循環手段による前の循環動作と次の循環動作の間隔を前記所定時間として導出する間隔導出手段を更に有することを特徴とする請求項１４または１５に記載の記録装置。
【請求項１７】
前記記録装置の設置環境における温度、又は、前記記録ヘッドの温度に基づき、前記循環手段が循環を実施する時間を導出する導出手段を更に有することを特徴とする請求項１４乃至１６の何れか１項に記載の記録装置。
【請求項１８】
液体を吐出する吐出口が設けられた吐出口面と、前記吐出口から液体を吐出するエネルギーを生成する記録素子と、記録素子と対向する位置に設けられた圧力室と、を有し、前記圧力室を通って前記吐出口から液体が吐出される記録ヘッドと、
前記吐出口から液体を吐出していない時間に関する情報を取得する取得手段と、
第１の流路から前記圧力室を通って第２の流路に液体が流れるように、前記圧力室の外から中へ、前記圧力室の中から外へと前記液体を循環させる循環手段と
を有する記録装置の制御方法であって、
前記取得手段が取得した情報が示す時間が所定時間を超えた場合、前記循環手段が前記第１の流路から前記圧力室を通って前記第２の流路へと前記液体を循環させる循環ステップを有することを特徴とする制御方法。
【請求項１９】
前記記録装置の設置環境における温度または湿度の少なくとも一方に基づき、前記循環ステップによる前の循環動作と次の循環動作の間隔を前記所定時間として導出する間隔導出ステップを更に有することを特徴とする請求項１８に記載の制御方法。
【請求項２０】
前記吐出口面をキャッピングするキャップ機構をさらに有し、
前記取得手段は、前記キャップ機構によって前記吐出口面をキャッピングしている時間を示す情報を取得し、
前記取得手段が取得した情報が示す時間が前記所定時間を超えた場合、前記循環ステップにおいて、前記第１の流路から前記圧力室を通って前記第２の流路へと前記液体を循環させることを特徴とする請求項１８または１９に記載の制御方法。
【請求項２１】
前記記録装置の設置環境における温度、又は、前記記録ヘッドの温度に基づき、前記循環ステップにおいて、循環を実施する時間を導出する導出ステップを更に有することを特徴とする請求項１８乃至２０の何れか１項に記載の制御方法。
【請求項２２】
コンピュータに請求項１８に記載の方法を実行させるためのプログラム。
【請求項２３】
液体を貯留するタンクと、
液体を吐出する吐出口が設けられた吐出口面を有する記録ヘッドと、
前記吐出口から液体を吐出していない時間に関する情報を取得する取得手段と、
前記タンクから前記記録ヘッドへ前記液体を供給する供給流路と、
前記記録ヘッドから前記タンクへ前記液体を回収する回収流路と、
前記タンクから前記供給流路を通って前記記録ヘッドへ、前記記録ヘッドから前記回収流路を通って前記タンクへと前記液体を循環させる循環手段と
を有する記録装置の制御方法であって、
前記取得手段が取得した情報が示す時間が所定時間を超えた場合、前記循環手段は前記タンクから、前記供給流路、前記記録ヘッドを通って前記回収流路へと前記液体を循環させる循環ステップを有する、
ことを特徴とする制御方法。
【請求項２４】
前記記録装置の設置環境における温度または湿度の少なくとも一方に基づき、前記循環ステップによる前の循環動作と次の循環動作の間隔を前記所定時間として導出する間隔導出ステップを更に有することを特徴とする請求項２３に記載の制御方法。
【請求項２５】
前記吐出口面をキャッピングするキャップ機構をさらに有し、
前記取得手段は、前記キャップ機構によって前記吐出口面をキャッピングしている時間を示す情報を取得し、
前記取得手段が取得した情報が示す時間が前記所定時間を超えた場合、前記循環ステップにおいて、前記供給流路から前記記録ヘッドを通って前記回収流路へと前記液体を循環させることを特徴とする請求項２３または２４に記載の制御方法。
【請求項２６】
前記記録装置の設置環境における温度、又は、前記記録ヘッドの温度に基づき、前記循環ステップにおいて、循環を実施する時間を導出する導出ステップを更に有することを特徴とする請求項２３乃至２５の何れか１項に記載の制御方法。
【請求項２７】
液体を貯留するタンクと、
液体を吐出する吐出口が設けられた吐出口面を有する記録ヘッドと、
前記吐出口から液体を吐出していない時間に関する情報を取得する取得手段と、
前記タンクから前記記録ヘッドへ前記液体を供給する供給流路と、
前記記録ヘッドから前記タンクへ前記液体を回収する回収流路と、
前記タンクから前記供給流路を通って前記記録ヘッドへ、前記記録ヘッドから前記回収流路を通って前記タンクへと前記液体を循環させる循環手段と
を有する記録装置の制御方法を、コンピュータに実行させるプログラムであって、
前記制御方法は、前記取得手段が取得した情報が示す時間が所定時間を超えた場合、前記循環手段は前記タンクから、前記供給流路、前記記録ヘッドを通って前記回収流路へと前記液体を循環させる循環ステップを有する、
ことを特徴とするプログラム。
【請求項２８】
前記記録装置の設置環境における温度または湿度の少なくとも一方に基づき、前記循環ステップによる前の循環動作と次の循環動作の間隔を前記所定時間として導出する間隔導出ステップを更に有することを特徴とする請求項２７に記載のプログラム。
【請求項２９】
前記吐出口面をキャッピングするキャップ機構をさらに有し、
前記取得手段は、前記キャップ機構によって前記吐出口面をキャッピングしている時間を示す情報を取得し、
前記取得手段が取得した情報が示す時間が前記所定時間を超えた場合、前記循環ステップにおいて、前記供給流路から前記記録ヘッドを通って前記回収流路へと前記液体を循環させることを特徴とする請求項２７または２８に記載のプログラム。
【請求項３０】
前記記録装置の設置環境における温度、又は、前記記録ヘッドの温度に基づき、前記循環ステップにおいて、循環を実施する時間を導出する導出ステップを更に有することを特徴とする請求項２７乃至２９の何れか１項に記載のプログラム。
【手続補正２】
【補正対象書類名】明細書
【補正対象項目名】０００６
【補正方法】変更
【補正の内容】
【０００６】
本発明の一実施形態は、液体を吐出する吐出口が設けられた吐出口面と、前記吐出口から液体を吐出するエネルギーを生成する記録素子と、記録素子と対向する位置に設けられた圧力室と、を有し、前記圧力室を通って前記吐出口から液体が吐出される記録ヘッドと、前記吐出口から液体を吐出していない時間に関する情報を取得する取得手段と、第１の流路から前記圧力室を通って第２の流路に液体が流れるように、前記圧力室の外から中へ、前記圧力室の中から外へと前記液体を循環させる循環手段とを有する記録装置であって、前記取得手段が取得した情報が示す時間が所定時間を超えた場合、前記循環手段は前記第１の流路から前記圧力室を通って前記第２の流路へと前記液体を循環させることを特徴とする記録装置である。